(57)【要約】【課題】特殊な端末を含む有線ネットワークに支障なく接続することが可能な無線ＬＡＮ端末を提供する。【解決手段】この無線ＬＡＮ端末を経由して通信を行う有線ＬＡＮネットワーク上に存在するＩＰ端末のＩＰアドレスとＭＡＣアドレスが管理テーブルに登録される。有線ＬＡＮフレームと無線ＬＡＮフレームとの相互変換と、両フレーム内のＭＡＣアドレスの変換とを変換部で行う。ＡＲＰを受信した場合管理テーブルの内容の更新を行い、有線ＬＡＮネットワーク側から転送された有線ＬＡＮフレームのうちの送信元ＭＡＣアドレスを無線ＬＡＮ端末のＭＡＣアドレスに変換し、無線ＬＡＮネットワーク側から転送されたパケットが無線ＬＡＮフレームであれば送信先ＭＡＣアドレスを検索して送信先ＭＡＣアドレスを検索したＭＡＣアドレスに変換する。検索したＭＡＣアドレスが得られないときには転送されたパケットを廃棄する。【選択図】      図１
2006050393.tif 000002
【特許請求の範囲】
【請求項１】
無線ＬＡＮネットワークと有線ＬＡＮネットワークとに接続される無線ＬＡＮ端末であって、
有線ＬＡＮネットワークに対する有線ＬＡＮポートと、
無線ＬＡＮネットワークに対する無線ＬＡＮポートと、
当該無線ＬＡＮ端末を経由して通信を行う有線ＬＡＮネットワーク上に存在するＩＰ端末のＩＰアドレスとＭＡＣアドレスとを登録する管理テーブルと、
前記有線ＬＡＮポートと前記無線ＬＡＮポートとの間に接続され、有線ＬＡＮフレームと無線ＬＡＮフレームとの相互変換と、該両フレーム内のＭＡＣアドレスの変換とを行う変換部と、
前記管理テーブルと前記変換部とに接続されており、ＡＲＰを受信した場合に前記管理テーブルの内容の更新を行い、前記有線ＬＡＮポート経由で転送された有線ＬＡＮフレームのうちの送信元ＭＡＣアドレスを無線ＬＡＮ端末のＭＡＣアドレスに変換するように前記変換部に指示し、前記無線ＬＡＮポート経由で転送されたパケットが無線ＬＡＮフレームであれば送信先ＭＡＣアドレスを検索して当該送信先ＭＡＣアドレスを該検索したＭＡＣアドレスに変換するように前記変換部に指示するとともに該検索したＭＡＣアドレスが得られないときには該転送されたパケットを廃棄するように前記変換部に指示する制御部と、  
を備えた無線ＬＡＮ端末。
【請求項２】
前記有線ＬＡＮポートと、前記有線ＬＡＮネットワークとの間に、音声通信端末が内蔵されていることを特徴とする請求項１に記載の無線ＬＡＮ端末。
【請求項３】
前記管理テーブルには音声通信端末の有効フラグがオン状態で保持されていることを特徴とする請求項２に記載の無線ＬＡＮ端末。
【発明の詳細な説明】
【技術分野】
【０００１】
本発明は、無線ＬＡＮ端末に関するもので、特に、 IEEE802.11 無線ＬＡＮシステムを用いて複数の有線ネットワークを接続する技術に関するものである。
【背景技術】
【０００２】
無線ＬＡＮシステムを用いて有線ＬＡＮネットワーク同士を接続する手段として、ＷＤＳ（Wireless Distribution System）方式と無線ＬＡＮ−Ｅthernet （登録商標）変換メディアコンバータ方式が存在する。ＷＤＳ方式は、有線ＬＡＮに接続された複数のアクセスポイント間を無線で通信する方式であり、「リピータ機能」、「アクセスポイント間通信」とも呼ばれる。メディアコンバータ方式は、無線ＬＡＮポートと有線ＬＡＮポートを持つメディアコンバータと呼ばれる装置を使用し、有線ＬＡＮポートに端末を接続したメディアコンバータとアクセスポイント間で通信を行う。
ＷＤＳ方式では４つのＭＡＣアドレス（送信元，送信先，送信機，受信機）を使用するのに対し、メディアコンバータ方式では、３つのアドレス（送信元，送信先，ＢＳＳＩＤ）を使用する点が異なる。無線ＬＡＮの使用方法では３アドレスが一般的である。（特許文献１参照）
【特許文献１】特開２００１−１２７７６７
【発明の開示】
【発明が解決しようとする課題】
【０００３】
上記のとおり、有線ＬＡＮネットワークを無線ＬＡＮにより接続する方式は幾つか実現されているが、ＷＤＳ方式は４つのアドレスを使用するため全てのアクセスポイントがＷＤＳに対応していなければならない。また、ＷＤＳ方式は互換性が少なく、異機種間の相互接続性に問題がある。
一方、メディアコンバータ方式は、３つのアドレスを使用しており、一般のアクセスポイントとの相互接続性が保証されるが、メディアコンバータに接続する端末数を１台に制限するものが多い。また、複数台を接続可能な場合でも、一定期間通信を行っていない端末の情報を削除する装置があるこのような装置では、通信時間は短いが不定期に双方向通信を行う必要がある特殊な端末（例えば音声通信を行う端末）を接続する場合に問題となる。
【０００４】
本発明の目的は、上記の問題点を解決するため、特殊な端末を含む有線ネットワークに支障なく接続することが可能な無線ＬＡＮ端末を提供することにある。
【課題を解決するための手段】
【０００５】
この課題を解決するために、本発明による無線ＬＡＮ端末は、無線ＬＡＮネットワークと有線ＬＡＮネットワークとに接続される無線ＬＡＮ端末であって、
有線ＬＡＮネットワークに対する有線ＬＡＮポートと、
無線ＬＡＮネットワークに対する無線ＬＡＮポートと、
当該無線ＬＡＮ端末を経由して通信を行う有線ＬＡＮネットワーク上に存在するＩＰ端末のＩＰアドレスとＭＡＣアドレスとを登録する管理テーブルと、
前記有線ＬＡＮポートと前記無線ＬＡＮポートとの間に接続され、有線ＬＡＮフレームと無線ＬＡＮフレームとの相互変換と、該両フレーム内のＭＡＣアドレスの変換とを行う変換部と、
前記管理テーブルと前記変換部とに接続されており、ＡＲＰを受信した場合に前記管理テーブルの内容の更新を行い、前記有線ＬＡＮポート経由で転送された有線ＬＡＮフレームのうちの送信元ＭＡＣアドレスを無線ＬＡＮ端末のＭＡＣアドレスに変換するように前記変換部に指示し、前記無線ＬＡＮポート経由で転送されたパケットが無線ＬＡＮフレームであれば送信先ＭＡＣアドレスを検索して当該送信先ＭＡＣアドレスを該検索したＭＡＣアドレスに変換するように前記変換部に指示するとともに該検索したＭＡＣアドレスが得られないときには該転送されたパケットを廃棄するように前記変換部に指示する制御部と、  
を備えた構成を有している。
前記有線ＬＡＮポートと、前記有線ＬＡＮネットワークとの間に、音声通信端末が内蔵されているように構成することができる。
前記管理テーブルには音声通信端末の有効フラグがオン状態で保持されているように構成することができる。
【発明の効果】
【０００６】
本発明による無線ＬＡＮ端末を用いて、有線ネットワーク同士を効率よく接続することが可能になると共に音声通信を行う端末を支障なく接続することができる。
【発明を実施するための最良の形態】
【０００７】
本発明による無線ＬＡＮ端末は、図１に示すように、有線ＬＡＮポート１と無線ＬＡＮポート２及び、フレーム変換部３、制御部４、管理テーブル５、無線ＬＡＮＭＡＣアドレス６を持つ無線ＬＡＮ端末から構成される。
Ｅthernet ＰＨＹ／ＭＡＣの如き有線ＬＡＮポート１は、有線ＬＡＮから受信したＥthernet フレームを変換部３へ転送する。また、その逆を行う。
IEEE802.11 ＰＨＹ／ＭＡＣの如き無線ＬＡＮポート２は、無線ＬＡＮから受信した IEEE802.11 ＭＡＣフレームを変換部３へ転送する。また、その逆を行う。
制御部４は、ＡＲＰ（Address Resolution Protocol ）を受信した場合に管理テーブル５の更新を行う。変換部３に転送されたパケットがＥthernet フレームならば送信元アドレスを無線ＬＡＮ端末のＭＡＣアドレスに変更するように、変換部３に指示する。変換部３に転送されたパケットが IEEE802.11 ＭＡＣフレームならば、送信先ＩＰアドレスに対応するＭＡＣアドレスを管理テーブル５から検索し、送信先を検索したＭＡＣアドレスに変更するように変換部３に指示する。検索しても見つからない場合には、パケットを破棄するように変換部３に指示する。
変換部３は、Ｅthernet フレームと IEEE802.11 ＭＡＣフレームの相互変換、これらのフレーム内のＭＡＣアドレスの変換を行う。また、受信したフレームを反対側のＰＨＹ／ＭＡＣへ転送する。
無線ＬＡＮＭＡＣアドレス６には、無線ＬＡＮ端末に割当てられたＭＡＣアドレスが格納されている。
管理テーブル５には、無線ＬＡＮ端末１０を経由して通信を行う有線ＬＡＮネットワーク上に存在するＩＰ端末のＩＰアドレスとＭＡＣアドレスが登録されている。
【０００８】
動作について説明する。
有線ＬＡＮポート１は、Ｅthernet フレームの送受信を行う。また、無線ＬＡＮポート２は IEEE802.11 ＭＡＣフレームの送受信を行う。無線ＬＡＮ端末１０は有線ＬＡＮポート１から受信したＥthernet フレームを IEEE802.11 ＭＡＣフレームに変換し、無線ＬＡＮポート２から送信する。また、無線ＬＡＮ端末１０は無線ＬＡＮポート２から受信した IEEE802.11 ＭＡＣフレームをＥthernet フレームに変換し、有線ＬＡＮポート１から送信する。
【０００９】
本発明では、一般的なアクセスポイントとの通信を可能にするため、メディアコンバータ方式と同じ３つのアドレスのみを使用する。そのため、無線ＬＡＮ端末１０において以下のＭＡＣアドレス変換を行うことにより、有線ＬＡＮ同士の接続動作を実現する。
無線ＬＡＮ端末１０は有線ＬＡＮポート１においてフレームを受信した場合、フレームの送信元ＭＡＣアドレスを無線ＬＡＮ端末１０のＭＡＣアドレス６に変更する。この送信元ＭＡＣアドレスを保持しておき、無線ＬＡＮポート２においてフレームを受信した場合には、フレームの送信先ＭＡＣアドレスを保持しておいた送信元ＭＡＣアドレスに変更する。
【００１０】
また、管理テーブル５を用いて、送受信される複数のフレームのＭＡＣアドレスと、ＩＰアドレスを管理することで、複数の端末を接続可能にする。さらに、本発明による無線ＬＡＮ端末１０では、管理テーブル５内の端末情報を削除する前に接続性の確認を行うことにより、音声通信を行う端末等の特殊な端末の接続に適した接続端末管理を実現する。フレーム変換方式とＭＡＣアドレス変換方式，ＭＡＣアドレス管理方式について以下に述べる。
【００１１】
〔Ｅthernet フレームと IEEE802.11 ＭＡＣフレームの変換〕
無線ＬＡＮ端末１０は、図３に示すように有線ポートから受信したＥthernet フレームを IEEE802.11 ＭＡＣフレームに変換する。また、図４に示すように無線ＬＡＮ端末１０は無線ＬＡＮポート２から受信した IEEE802.11 ＭＡＣフレームをＥthernet フレームに変換する。但し、矢印の無い部分は無線ＬＡＮ端末１０により、挿入または削除される。また、送信元ＭＡＣアドレスと送信先ＭＡＣアドレスは次に述べる動作に従い、変換される。
【００１２】
〔ＭＡＣアドレスの変換方式〕
無線ＬＡＮ端末１０は、無線ＬＡＮポート２において、ブロードキャストフレームまたは無線ＬＡＮ端末１０のＭＡＣアドレスと一致した IEEE802.11 ＭＡＣフレームしか受信しないように設定されている。そこで、図２のＰＣ１とＰＣ２が通信を行う場合、無線ＬＡＮ端末１０で送信先，送信元ＭＡＣアドレスの変換を行う必要がある。ここで、図２のＡ，Ｂ，Ｃ，ＤはそれぞれのＭＡＣアドレスを示す。また、矢印の先頭は送信先ＭＡＣアドレスを表し、後ろ側は送信元ＭＡＣアドレスを表す。
【００１３】
無線ＬＡＮ端末１０において、外部接続ＩＰ機器ＰＣ１から送られてくるＥthernet フレームを IEEE802.11 ＭＡＣフレームに変換する場合には、図２に示すように送信元ＭＡＣアドレス（Ｄ）を無線ＬＡＮ端末のＭＡＣアドレス（Ｂ）に変換する。
無線ＬＡＮ端末において、アクセスポイントＡＰから送られてくる IEEE802.11 ＭＡＣフレームをＥthernet フレームに変換する場合には、ＰＣ１のＭＡＣアドレス（Ｄ）をアドレス管理テーブルから検索して IEEE802.11 ＭＡＣフレームの送信先アドレスを（Ｂ）から（Ｄ）に変換する。アドレス管理テーブルの検索については後で述べる。但し、送信先アドレスがブロードキャストの場合は変換を行わない。
また、ＡＲＰなどのように、フレームのＰＡＹＬＯＡＤ内に送信元や送信先のＭＡＣアドレスを格納している場合にはＰＡＹＬＯＡＤ内のＭＡＣアドレスも同様に変換することで対応する。
【００１４】
〔アドレス管理テーブル〕
アドレス管理テーブル５の構成を表１に示す。アドレス管理テーブルはＭＡＣアドレスとＩＰアドレスおよび有効フラグから構成される。
【００１５】
【表１】
2006050393.tif 000003
【００１６】
〔アドレス管理テーブルへの登録〕
表１では、４番目が未登録で有効フラグがＯＦＦになっている。１から３番目までにＭＡＣアドレスとＩＰアドレスが登録されている。このうち、２番目は登録確認時に応答が無かったため有効フラグがＯＦＦに設定されている。１番目と３番目は登録確認時に応答が有ったため、有効フラグがＯＮに設定されている。
無線ＬＡＮ端末１０は有線ポート１側からのＡＲＰ受信時に、ＡＲＰデータの送信元ＭＡＣアドレスとアドレス管理テーブル５のＭＡＣアドレスを順に比較する（有効フラグがＯＮのみ行う）。一致するものがあった場合、一致したテーブルのＩＰアドレスにＡＲＰデータの送信元ＩＰアドレスを書き込む。一致するものが無かった場合には、アドレス管理テーブルの有効フラグがＯＦＦのテーブルにＡＲＰデータの送信元ＭＡＣアドレスと送信元ＩＰアドレスを書き込み、有効フラグをＯＮにする。有効フラグが全てＯＮの場合には、接続台数オーバとしてＡＲＰを破棄する。
【００１７】
〔アドレス管理テーブルの検索〕
無線ＬＡＮポート２において受信したフレームの送信先ＩＰアドレスとアドレス管理テーブルのＩＰアドレスを比較して一致した場合、対応するＭＡＣアドレスに送信先アドレスを変換する。アドレス管理テーブル５に一致するＩＰアドレスが無かった場合、不正データとして破棄する。
【００１８】
〔外部端末の接続確認〕
アドレス管理テーブル５に外部接続ＩＰ機器が２台以上登録されたとき、ＡＲＰ要求を送信してＡＲＰ応答を受信することにより接続確認を行う。接続の確認ができなかった場合には、アドレス管理テーブル５の有効フラグを無効（ＯＦＦ）にする。
【００１９】
〔実施例〕
実施例を以下に示す。例としては、音声通信を行う端末と本発明を組み合わせた場合について説明する。また、送受信されるデータは、ＩＰｖ４データ及びＡＲＰデータを対象とする。
【００２０】
〔構成〕
構成例を図５に示す。各装置内の階層図を図６に示す。ＰＣ１は無線ＬＡＮ端末１０の有線ＬＡＮポート１に接続された外部ＩＰ端末であり、図５，図６では１台しか示していないが、複数台接続可能である。ＡＰは市販アクセスポイントを表し、ＰＣ２はアクセスポイントに有線ＬＡＮで接続されたＩＰ端末を表す。
無線ＶｏＩＰ端末（１００）は、無線ＬＡＮ端末１０と音声通信端末として動作するＩＰＫＴ部から構成されている。ＩＰＫＴ部は音声通信を行う機能を有する。無線ＬＡＮ端末１０は、通常の無線ＬＡＮ機能の他に、既に述べたフレーム変換機能，ＭＡＣアドレス変換機能，ＭＡＣアドレス管理機能，接続端末管理機能を有する。また、図５のＡ，Ｂ，Ｃ，Ｄ，ＥはそれぞれのＭＡＣアドレスを示す。矢印の先頭は送信先ＭＡＣアドレスを表し、後ろ側は送信元ＭＡＣアドレスを表す。以下に、無線ＬＡＮ端末（１０）の動作について説明する。
【００２１】
〔ＩＰｖ４データの送受信〕
無線ＬＡＮ端末１０は有線ＬＡＮポート１から受信したＥthernet フレームを IEEE802.11 ＭＡＣフレームに変換し、無線ＬＡＮポート２から送信する。また、無線ＬＡＮ端末１０は無線ＬＡＮポート２から受信した IEEE802.11 ＭＡＣフレームをＥthernet フレームに変換し、有線ＬＡＮポート１から送信する。このとき無線ＬＡＮ端末１０は以下のとおりフレーム内のＭＡＣアドレスも変換を行う。
【００２２】
無線ＬＡＮ端末１０の有線ＬＡＮポート１側から受信されるＥthernet フレームを IEEE802.11 ＭＡＣフレームへ変換する場合を図７に示す。無線ＬＡＮ部はＩＰＫＴ部，外部接続ＩＰ機器ＰＣ１から送られてくるＥthernet フレームを IEEE802.11 ＭＡＣフレームに変換するとき、送信元ＭＡＣアドレス（Ｄ又はＥ）を無線ＬＡＮ端末１０のＭＡＣアドレス（Ｂ）に変換する。
【００２３】
無線ＬＡＮ端末１０の無線ＬＡＮポート２から受信される IEEE802.11 ＭＡＣフレームをＥthernet フレームへ変換する場合を図８に示す。無線ＬＡＮ端末１０は、ＡＰから送られてくる IEEE802.11 ＭＡＣフレームをＥthernet フレームに変換するとき、送信先ＭＡＣアドレス（Ｄ又はＥ）をアドレス管理テーブルから検索して、 IEEE802.11 ＭＡＣフレームの送信先ＭＡＣアドレス（Ｂ）を本来の送信先ＭＡＣアドレス（Ｄ又はＥ）に変換する。アドレス管理テーブルの検索方法については後で述べる。但し、送信先ＭＡＣアドレスがブロードキャストの場合は変換を行わない。
【００２４】
〔ＡＲＰ要求／応答の送受信〕
図９に示すＡＲＰデータは、図７または図８に示すＥthernet フレームと IEEE802.11 ＭＡＣフレームのＰＡＹＬＯＡＤ内に格納されている。従って、ＡＰ側に接続されるＩＰ機器にＩＰＫＴ部と外部接続ＩＰ機器のＭＡＣアドレスを無線ＬＡＮ端末１０のＭＡＣアドレスと認識させるためにＡＲＰデータの変換を行う必要がある。以下にＡＲＰデータの場合の動作について説明する。
【００２５】
無線ＬＡＮ端末１０が有線ＬＡＮポート１側から送られてくるＡＲＰ応答／要求を受信した場合、無線ＬＡＮ端末１０はＩＰｖ４と同様に図７の送信元ＭＡＣアドレスを無線ＬＡＮ端末１０のＭＡＣアドレスに変換すると同時に、ＡＲＰデータ内の送信元ＭＡＣアドレスも無線ＬＡＮ端末１０のＭＡＣアドレスに変換する。
【００２６】
反対に、無線ＬＡＮ端末１０が無線ＬＡＮポート２側から送られてくるＡＲＰ応答を受信した場合、無線ＬＡＮ端末１０はＡＲＰ応答の送信先ＭＡＣアドレスをアドレス管理テーブル５で検索する。さらに、ＩＰｖ４と同様に図８の IEEE802.11 ＭＡＣフレーム内の送信先ＭＡＣアドレスを検索したＭＡＣアドレスに変換すると同時に、ＡＲＰデータ内の送信先ＭＡＣアドレスも検索したＭＡＣアドレスに変換する。但し、無線側から送られてくるＡＲＰ要求は変換を行わない。
【００２７】
〔アドレス管理テーブル〕
アドレス管理テーブルはＡＰから送られてきたフレームがＩＰＫＴ部宛てか外部接続ＩＰ機器宛てかを判断し、送信先アドレスを変換するときに使用する。アドレス管理テーブルの構成を表２に示す。アドレス管理テーブルは必要に応じて、初期化，端末の追加／削除が行われる。また、端末の検索に使用される。
【００２８】
【表２】
2006050393.tif 000004
【００２９】
〔アドレス管理テーブルの初期化〕
表２では、無線ＬＡＮ端末と音声端末（ＩＰ−ＫＴ）を組み合わせているため、外部ＩＰ端末の上にＩＰ−ＫＴのアドレスが登録されている。ＩＰ−ＫＴの有効フラグはＯＦＦにならない。他は、表１と同じ。
無線ＬＡＮ部活性化時に、アドレス管理テーブル５の有効フラグを全てＯＦＦにすると同時に、ＩＰＫＴ部からのメッセージに記述されているＩＰＫＴ部のＭＡＣアドレスを表２に示すテーブルの先頭に登録し、ＩＰアドレスを０クリア、有効フラグをＯＮにする。
【００３０】
〔アドレス管理テーブルへの登録〕
有線ＬＡＮポート１におけるＡＲＰ受信時に、ＡＲＰデータの送信元ＭＡＣアドレスとアドレス管理テーブル５のＭＡＣアドレスを順に比較する（有効フラグがＯＮの場合のみ行う）。１番目のＭＡＣアドレスと一致するので、図１０に示すように、一致したテーブルのＩＰアドレスにＡＲＰデータの送信元ＩＰアドレスを書き込む。一致するものが無かった場合、図１１に示すように、アドレス管理テーブル５の有効フラグがＯＦＦである２番目の行にＡＲＰデータの送信元アドレスと送信元ＩＰアドレスを書き込み、有効フラグをＯＮにする。但し、有効フラグが全てＯＮの場合、接続台数オーバとしてＡＲＰを破棄する。
【００３１】
〔アドレス管理テーブルの検索〕
無線側から受信したデータのプロトコルタイプがＩＰｖ４とＡＲＰのときのみアドレス管理テーブル５の検索を行う。送信先ＩＰアドレスとアドレス管理テーブル５のＩＰアドレスを比較して一致した場合、対応するＭＡＣアドレスに送信先ＭＡＣアドレスを変換する。アドレス管理テーブル５に一致するＩＰアドレスが無かった場合、不正データとして破棄する。
【００３２】
〔外部端末接続確認〕
アドレス管理テーブル５に外部接続ＩＰ機器が２台以上登録されたとき、接続確認を行う。接続の確認ができなかった場合にはアドレス管理テーブルの有効フラグを無効（ＯＦＦ）にする。但しＩＰＫＴ部に対しては行わない。
アドレス管理テーブル５に登録されているＩＰアドレスに対してＡＲＰ要求を送信し、ＡＲＰ応答を受信して確認をとる。Ｅthernet 上のエラーがあるため、２回再送を行う。ＡＲＰ送信の際、送信元ＩＰアドレスは無線ＬＡＮ部のＩＰアドレスまたはＩＰユニキャストアドレスを用い、送信元ＭＡＣアドレスは無線ＬＡＮ部のＭＡＣアドレスを使用する。
【産業上の利用可能性】
【００３３】
本発明は、複数の有線ネットワーク間を、 IEEE802.11 による無線ＬＡＮシステムを用いて、相互接続する際に効果的に適用することができる。
【図面の簡単な説明】
【００３４】
【図１】本発明の一実施例を示すブロック図である。
【図２】本発明装置の一実施例におけるＭＡＣアドレス変換手順を説明するための図である。
【図３】本発明装置におけるＥthernet フレームから IEEE802.11 ＭＡＣフレームへの変換を説明するための信号フォーマット図である。
【図４】本発明装置における IEEE802.11 ＭＡＣフレームからＥthernet フレームへの変換を説明するための信号フォーマット図である。
【図５】本発明装置の他の実施例におけるＭＡＣアドレス変換手順を説明するための図である。
【図６】本発明装置の構成例を説明するための階層図である。
【図７】本発明装置におけるＥthernet フレームから IEEE802.11 ＭＡＣフレームへの変換における送信元ＭＡＣアドレス変換を説明するための信号フォーマット例図である。
【図８】本発明装置における IEEE802.11 ＭＡＣフレームからＥthernet フレームへの変換における送信先ＭＡＣアドレス変換を説明するための信号フォーマット例図である。
【図９】本発明に用いるＡＲＰデータ例を説明するための図である。
【図１０】本発明装置における管理テーブルの登録時において、ＭＡＣアドレスが一致する場合の処理例を説明するための図である。
【図１１】本発明装置における管理テーブルへの登録時において、ＭＡＣアドレスが一致しない場合の処理例を説明するための図である。
【符号の説明】
【００３５】
１  有線ＬＡＮポート（Ｅthernet ＰＨＹ／ＭＡＣ）
２  無線ＬＡＮボート（ IEEE802.11 ＰＨＹ／ＭＡＣ）
３  変換部
４  制御部
５  管理テーブル
６  無線ＬＡＮＭＡＣアドレス
１０  無線ＬＡＮ端末
【図１】
2006050393.tif 000005
【図２】
2006050393.tif 000006
【図３】
2006050393.tif 000007
【図４】
2006050393.tif 000008
【図５】
2006050393.tif 000009
【図６】
2006050393.tif 000010
【図７】
2006050393.tif 000011
【図８】
2006050393.tif 000012
【図９】
2006050393.tif 000013
【図１０】
2006050393.tif 000014
【図１１】
2006050393.tif 000015